(57)【特許請求の範囲】
【請求項１】
ケーブルに接続される複数のパッドが設けられているコンタクト部分、該コンタクト部分の両側に形成される一対のガイドピンを含む、ケーブル・コネクタ用レセプタクルに嵌合される結合部分、
前記コンタクト部分の後方に設けられ、前記パッドに接続されるケーブルが配置される接続部分、該接続部分の両側であって前記一対のガイドピンの後方に設けられる一対の操作部分を含む本体部分、
前記結合部分と前記ケーブル・コネクタ用レセプタクルとの嵌合をロックするロック爪を前端部にそれぞれ有する一対のロック・スプリング、
を備え、
前記一対のガイドピン各々には、内部に空間が対をなして形成されるとともに、該空間と外部とを連通するスリットが該空間の外側に対をなして形成され、
前記一対の操作部分各々には、前方に設けられた前記ガイドピンの空間に連通するロック・スプリング収容空間と、該ロック・スプリング収容空間の外側に配置され、該ロック・スプリング収容空間と外部とを連通する、該ロック・スプリング収容空間より上下方向の幅が広い操作レバー収容空間が対をなして形成され、
前記一対のガイドピンそれぞれに形成される空間及び該空間それぞれに連通する前記対をなすロック・スプリング収容空間内には、前記ロック・スプリングの前記ロック爪が前記ガイドピンの空間の外側に形成される前記対をなすスリットから常時外部に突出するように、前記ロック・スプリングが対をなして配置され、
前記対をなす操作レバー収容空間には、前記ロック・スプリングの動作を制御し、前記ロック・スプリング収容空間より幅が広い操作レバーが対をなして配置されることを特徴とするケーブル・コネクタ用アダプタ。
【請求項２】
前記対をなして形成されているロック・スプリング収容空間は、それぞれ、前記操作部分各々を構成する側壁、上壁及び下壁に囲まれており、
前記ロック・スプリング収容空間各々の外側に隣接するとともに該ロック・スプリング収容空間に連通する、対をなして形成されている前記操作レバー収容空間は、それぞれ、少なくとも前記操作部分各々を構成する上壁及び下壁に囲まれていることを特徴とする請求項１に記載のケーブル・コネクタ用アダプタ。
【請求項３】
前記対をなして形成されている操作レバー各々は、外力が内側に向けて加えられる駆動部と該駆動部に加えられた前記外力を前記ロック・スプリングに伝える押圧部を含み、前記対をなして形成される操作レバーは、前記本体部分と一体に形成されるとともに、少なくとも前記操作レバー各々の押圧部は、前記操作部分各々を構成する上壁及び下壁に囲まれた前記操作レバー収容空間内に形成されることを特徴とする請求項２に記載のケーブル・コネクタ用アダプタ。
【請求項４】
請求項１〜３のいずれかに記載されるケーブル・コネクタ用アダプタと該ケーブル・コネクタ用アダプタが嵌合されるレセプタクルとを備えるケーブル・コネクタ。
【請求項５】
請求項１〜３のいずれかに記載される、ケーブルに接続されたケーブル・コネクタ用アダプタとプリント配線基板上に設けられたレセプタクルとを備え、
前記ケーブル・コネクタ用アダプタが前記レセプタクルに嵌合されることで前記ケーブルと前記プリント配線基板とが電気的に接続されることを特徴とする電子機器。
【発明の詳細な説明】
【技術分野】
【０００１】
本発明は、断面略円形の細長いケーブル、細線同軸ケーブル、フレキシブル・フラット・ケーブルやフレキシブル・プリント配線板のような柔軟なケーブルの一端を配線基板などに設けられているケーブル・コネクタに電気的に接続するケーブル・コネクタ用アダプタに関する。
【背景技術】
【０００２】
電子機器内部における電装部品相互間の電気的接続を行うにあたり、ケーブル・コネクタが実用に供されている。そのようなケーブル・コネクタとしてのケーブルの接続構造は、例えば、特許文献１にも示されるように、ケーブルの一端に形成された雄コネクタ部としてのアダプタと、電装部品やプリント配線基板上に設けられた雌コネクタ部としてのレセプタクルとを含んでいる。
【０００３】
ケーブル側に設けられるアダプタには、該アダプタをレセプタクルから取外すために、特許文献１に開示されるように、レセプタクルとの嵌合をロックするロック・スプリングのレセプタクルとの係合を解除する操作レバーが設けられている。該操作レバーは、弾性変形部分を含み、アダプタを構成するインシュレータの左右両側方から外側に突出形成されている。
【０００４】
【特許文献１】特許第３８４１３５２号公報
【発明の開示】
【発明が解決しようとする課題】
【０００５】
弾性変形部分を含む操作レバーは、インシュレータとの連結部において、インシュレータの左右両側方から外側に向かって突出形成されるため、操作レバーの操作方向と直交する方向に外力が加わると折れるという問題が発生し得る。このような問題に対処すべく、操作レバーの弾性変形部分の幅などを大きくするなどの手段でその強度を増加させると、その分操作レバーは硬くなり、弾性変形部分は弾性変形し難く、したがって、操作レバーの操作性が悪くなる恐れがある。
【０００６】
また、上記特許文献１に記載されるように、保護カバーとしての金属製シェルにより、操作レバーの弾性変形部分を覆い、外力による操作レバーの操作方向以外の動きを封じることで、操作レバーが折れることを防止することができる。しかしながら、この場合、金属性シェルで操作レバーを覆うためにアダプタの構造が複雑になるとともに、部品点数が増え、製造に時間を要し、製造コストを押し上げる恐れがある。
【０００７】
本発明の目的は、このような問題点に鑑み、操作レバーの操作方向以外の動きを抑え得る保護壁が操作レバーとともに一体形成されたケーブル・コネクタ用アダプタを提供することにある。
【課題を解決するための手段】
【０００８】
上記本発明の目的を達成するため、本発明に係るケーブル・コネクタ用アダプタは、ケーブルに接続される複数のパッドが設けられているコンタクト部分、該コンタクト部分の両側に形成される一対のガイドピンを含む、ケーブル・コネクタ用レセプタクルに嵌合される結合部分、前記コンタクト部分の後方に設けられ、前記パッドに接続されるケーブルが配置される接続部分、該接続部分の両側であって前記一対のガイドピンの後方に設けられる一対の操作部分を含む本体部分、前記結合部分と前記ケーブル・コネクタ用レセプタクルとの嵌合をロックするロック爪を前端部にそれぞれ有する一対のロック・スプリングを備え、前記一対のガイドピン各々には、内部に空間が対をなして形成されるとともに、該空間と外部とを連通するスリットが該空間の外側に対をなして形成され、前記一対の操作部分各々には、前方に設けられた前記ガイドピンの空間に連通するロック・スプリング収容空間と、該ロック・スプリング収容空間の外側に配置され、該ロック・スプリング収容空間と外部とを連通する、該ロック・スプリング収容空間より上下方向の幅が広い操作レバー収容空間が対をなして形成され、前記一対のガイドピンそれぞれに形成される空間及び該空間それぞれに連通する前記対をなすロック・スプリング収容空間内には、前記ロック・スプリングの前記ロック爪が前記ガイドピンの空間の外側に形成される前記対をなすスリットから常時外部に突出するように、前記ロック・スプリングが対をなして配置され、前記対をなす操作レバー収容空間には、前記ロック・スプリングの動作を制御し、前記ロック・スプリング収容空間より幅が広い操作レバーが対をなして配置されることを特徴とする。
【０００９】
本発明に係るケーブル・コネクタ用アダプタは、また、前記対をなして形成されているロック・スプリング収容空間は、それぞれ、前記操作部分各々を構成する側壁、上壁及び下壁に囲まれており、前記ロック・スプリング収容空間各々の外側に隣接するとともに該ロック・スプリング収容空間に連通する、対をなして形成されている前記操作レバー収容空間は、それぞれ、少なくとも前記操作部分各々を構成する上壁及び下壁に囲まれていることが好ましい。
【００１０】
本発明に係るケーブル・コネクタ用アダプタは、さらに、前記対をなして形成されている操作レバー各々は、外力が内側に向けて加えられる駆動部と該駆動部に加えられた前記外力を前記ロック・スプリングに伝える押圧部を含み、前記対をなして形成される操作レバーは、前記本体部分と一体に形成されるとともに、少なくとも前記操作レバー各々の押圧部は、前記操作部分各々を構成する上壁及び下壁に囲まれた前記操作レバー収容空間内に形成されることが好ましい。
【発明の効果】
【００１１】
本発明におけるケーブル・コネクタ用アダプタは、操作レバーを、アダプタを構成する操作部分内に形成される操作レバー収容空間内に配置することで、より具体的には、操作レバーの少なくとも押圧部を該操作レバーと一体に形成された保護壁としての上壁及び下壁で囲うことで、外力による操作レバーの操作方向以外の動きを極力封じることを可能とし、それにより、操作レバーの押圧部を細くすることが可能となり、操作レバーの操作を容易にする。また、保護壁及び操作レバーは、アダプタの本体部分とともに一体に形成されているので、製造時間が短縮化され、部品点数も少なくて済み、製造コストを抑えることが可能となる。
【発明を実施するための最良の形態】
【００１２】
以下、本発明に係るケーブル・コネクタ用アダプタの実施態様につき、図１ないし８を用いて説明する。
【００１３】
図１は、本発明の実施態様に係るケーブル・コネクタ用アダプタの上面図であり、図２は、図１のケーブル・コネクタ用アダプタの正面図であり、図３は、図１のケーブル・コネクタ用アダプタの側面図である。図４は、図２のＡ−Ａ線に沿う部分拡大断面図であり、図５は、図１のＢ−Ｂ線に沿う部分拡大断面図である。図６は、図１のケーブル・コネクタ用アダプタがレセプタクルに嵌合している状態を示す斜視図である。図７は、図６に示されるケーブル・コネクタ用アダプタがレセプタクルに嵌合した時の、図２のＣ−Ｃ線に沿う部分拡大断面図である。図８は、本発明の別の実施態様に係るケーブル・コネクタ用アダプタの斜視図である。
【００１４】
（第１の実施態様）
本実施態様におけるケーブル・コネクタ用アダプタ（以下、「アダプタ」ともいう。）１は、図１ないし５に示されるように、断面略円形の細長いケーブル（以下、「ケーブル」ともいう。）５０用のアダプタであり、概略、結合部分１０及び該結合部分１０と一体に形成されている本体部分２０を備えている。
【００１５】
結合部分１０は、図６に示されるレセプタクル６０に嵌合する部分であり、結合部分１０がレセプタクル６０に嵌合されることで、結果としてケーブル５０とプリント配線基板８０とが電気的に接続される。結合部分１０は、概略、コンタクト部分１１及び該コンタクト部分１１の左右に設けられる一対のガイドピン１３ａ、１３ｂを含んでいる。
【００１６】
コンタクト部分１１は、平坦な板状部材であり、左右方向に延在している。コンタクト部分１１の上面及び／または下面には、レセプタクル６０のコンタクト（不図示）に接触する複数の外部電極としてのパッド１２が互いに平行に配列されている。パッド１２は、後述する本体部分２０の接続部分２１を介して対応するケーブル５０に接続され得る。（なお、パッド１２とケーブル５０との接続機構は、本願発明の特徴ではないので本明細書ではこれ以上の説明を省略するが、接続機構の詳細は、例えば特開２００１−２２３０３９号公報などに開示されている。）
コンタクト部分１１の左右両側に設けられる一対のガイドピン１３ａ、１３ｂは、結合部分１０がレセプタクル６０に嵌合されるとき、位置決め兼案内をする部材であり、コンタクト部分１１を挟んで左右対称の構造を有している。本明細書では、図１において右側に配置されるガイドピン１３ｂについて詳細に説明し、左側のガイドピン１３ａについての詳細な説明は省略する。ガイドピン１３ｂには、図４に示されるように、その内部に空間１４ｂが形成されている。該空間１４ｂは、後述する操作部分２２ｂに形成されるロック・スプリング収容空間２３ｂに連通し、該ロック・スプリング収容空間２３ｂとともにロック・スプリング４０ｂを収容している。左側のガイドピン１３ａも同様にロック・スプリング収容空間２３ａに連通する空間が形成される。
【００１７】
ガイドピン１３ｂには、さらに、該空間１４ｂと外部を連通するスリット１５ｂが形成される。該スリット１５ｂは、空間１４ｂから図１において右方に向かって空間１４ｂを囲む壁を貫通するとともに、後方に向かって本体部分２０の前壁２８を貫通し、後方に位置する操作レバー収容空間２４ｂに連通している（図６参照）。本実施態様におけるスリット１５ｂは、また、図３に示されるように、ガイドピン１３ｂの中心より若干上方（図３において左方）にずれて形成されている。スリット１５ｂ前方からは、後述するロック・スプリング４０ｂのロック爪４９ｂが、図１に示されるように、右方に向かってガイドピン１３ｂから外に突出する。左側のガイドピン１３ａも同様にスリットが形成され、ロック・スプリング４０ａのロック爪４９ａが左方に向かって突出する。
【００１８】
本体部分２０は、概略、接続部分２１、該接続部分２１の左右に設けられる一対の操作部分２２ａ、２２ｂ、及び一対の操作部分２２ａ、２２ｂ内に配置される一対のロック・スプリング４０ａ、４０ｂを含んでいる。
【００１９】
接続部分２１は、一対の操作部分２２ａ、２２ｂを一体に連結するとともに、複数のケーブル５０が接続される部分であり、結合部分１０のコンタクト部分１１の後方に位置し、該コンタクト部分１１とほぼ同じ幅（左右方向の長さ）を有して左右方向に延在している。接続部分２１は、また、コンタクト部分１１より大きい厚さ（上下方向の長さ）を有している。接続部分２１は、左右に隣接する一対の操作部分２２ａ、２２ｂとともに共通する前壁２８を含んでいる。該前壁２８は、コンタクト部分１１を取り囲むように形成され、アダプタ１がレセプタクル６０に嵌合したとき、レセプタクル６０と当接する当接面２８Ａを構成する。接続部分２１には、さらに、ケーブル５０の一端部が挿入される、後方に向かって開放する複数の接続孔（不図示）が形成されている。
【００２０】
アダプタ１は、一対のロック・スプリング４０ａ、４０ｂを除き、外部電極としてのパッド１２を有するコンタクト部分１１及び接続部分２１を含む予め形成されている配線部分をインサート部品とするとともに、電気絶縁性の合成樹脂材料で一体にインサート成形されることが好ましい。
【００２１】
接続部分２１の左右に設けられる一対の操作部分２２ａ、２２ｂは、後述する一対のロック・スプリング４０ａ、４０ｂの動作を制御する部分であり、接続部分２１を挟んで左右対称の構造を有している。本明細書では、上記ガイドピン１３ａ、１３ｂの場合と同様、図１において右側に配置される操作部分２２ｂについて詳細に説明し、左側の操作部分２２ａについての詳細な説明は省略する。
【００２２】
右側の操作部分２２ｂは、図５、６に示されるように、側壁２５ｂ、上壁２７ｂ及び下壁２６ｂで囲まれるロック・スプリング収容空間２３ｂ及び該ロック・スプリング収容空間２３ｂに隣接する操作レバー収容空間２４ｂを含んでいる。
【００２３】
ロック・スプリング収容空間２３ｂの幅（図６において、上下方向の長さ）は、後述する操作レバー３０ｂの押圧部３３ｂの幅より狭く構成される。このように構成することで、操作レバー３０ｂの押圧部３３ｂが、ロック・スプリング収容空間２３ｂ内に入り込むことで、押圧部３３ｂが、過度に、内側に向かって変形したり、押圧部３３ｂの変形によりロック・スプリング４０ｂが過度に押されたりすることが防止できる。
【００２４】
操作レバー収容空間２４ｂは、ロック・スプリング収容空間２３ｂの幅より広い幅を有する。図６に示されるように、操作レバー収容空間２４ｂの左側は該ロック・スプリング収容空間２３ｂに連通し、その右側は、外方に向かって開放している。なお、本実施態様では、操作レバー収容空間２４ｂを囲む上壁２７ｂ及び下壁２６ｂの右側後方には、後述する操作レバー３０の駆動部３１が操作レバー収容空間２４ｂ内への揺動を可能とするため、切欠部が形成されている。図１には、左右の上壁２７ａ、２７ｂそれぞれに形成される切欠部２７ａ１、２７ｂ１が示されている。
【００２５】
ロック・スプリング収容空間２３ｂには、さらに、右側の対応するガイドピン１３ｂの空間１４ｂに連通しており、既に述べたように、後述するロック・スプリング４０ｂが収容される。操作レバー収容空間２４ｂには、ロック・スプリング４０ｂの一部及び操作レバー３０ｂが収容される。
【００２６】
操作レバー３０ｂは、駆動部３１ｂ、押圧部３３ｂを含んでいる。押圧部３３ｂは、断面矩形状の細長い棒状体をなしており、操作レバー収容空間２４内を、前壁２８から垂直に起立するように形成され、後述するロック・スプリング４０ｂの湾曲頂点４３ｂ１より若干後方の位置まで延在している。押圧部３３ｂは、該押圧部３３ｂの前壁２８との連結部を支点として、左右方向に揺動可能に形成されている。押圧部３３ｂの後端は、駆動部３１ｂに連結される。該駆動部３１ｂは、図３に示されるように、押圧部３３ｂ後端部近傍から後方及び上下方向に翼を広げるように延在するとともに、図１に示されるように、傾斜しながら操作レバー収容空間２４から右方に突出するように形成される。駆動部３１ｂの上下両端は、操作部分２２ｂの上下両端とほぼ同一平面内にあり、また、駆動部３１ｂの後端は、操作部分２２ｂの後端とほぼ同一平面内にある。すなわち、駆動部３１ｂは、操作部分２２から右方にのみ突出し、操作部分２２ｂの後方及び上下方向には突出しないように形成されている。
【００２７】
操作レバー３０ｂがこのように構成されることで、操作レバー３０ｂの駆動部３１ｂを内側に向かって（図１、４及び５において、左側に向かって）移動させると、押圧部３３ｂの後端部が、ロック・スプリング収容空間２３ｂから操作レバー収容空間２４ｂ内に入り込んでいるロック・スプリング４０ｂの湾曲頂点４３ｂ１に当接し、該ロック・スプリング４０ｂの弾性変形部４３ｂを内側に向かって押す。それにより、ロック爪４９ｂが、内側に移動し、空間１４ｂ内に押し込まれることで、レセプタクル６０とのロック状態を解除することが可能となる。結果として、雄コネクタとしてのアダプタ１を雌コネクタとしてのレセプタクル６０から取外すことが可能となる。
【００２８】
また、操作レバー３０ｂの押圧部３３ｂは、操作レバー収容空間２４ｂ内に配置され、駆動部３１ｂも操作部分２２ｂから右方にのみ突出するように形成されているので、押圧部３３ｂは、外力に対して変形することが抑えられる。例えば、上下方向から加えられる外力に対しては、上壁２７ｂ及び下壁２６ｂが存在するので、これらの壁に当接することでそれ以上の変形を抑制される。あるいは、外側（右方）から加えられる外力に対しては、押圧部３３ｂより幅が狭いロック・スプリング収容空間２３ｂが存在するので、操作レバー収容空間２４ｂを囲む上壁２７ｂ及び下壁２６ｂに形成されている段部に当接することでそれ以上の変形が抑制される。したがって、上記特許文献１のように、操作レバーを保護するための金属シェルがなくとも、本実施態様における操作レバー３０ｂは、外力により破壊されることが防止される。言い換えれば、本実施態様における操作部分２２ｂの上壁２７ｂ、下壁２６ｂは、操作レバー３０ｂを保護する保護壁として機能している。
【００２９】
ロック・スプリング４０ｂは、アダプタ１がレセプタクル６０に嵌合した状態を保持するロック部材であり、図４に詳細に示されるように、板バネ状に形成され、概略、固定部４１ｂ、湾曲部４２ｂ、弾性変形部４３ｂ及びロック爪４９ｂを含んでいる。
【００３０】
固定部４１ｂは、ロック・スプリング収容空間２３ｂを画定する側壁２５ｂに沿って上壁２７ｂ及び下壁２６ｂにそれぞれ形成される溝２７ｂ２及び２６ｂ１内に圧入され、ロック・スプリング４０ｂを支持する。固定部４１ｂ後方に連続する湾曲部４２ｂは、ロック・スプリング４０ｂが折り返される部分であり、ロック・スプリング４０ｂに弾性を与え、後続する弾性変形部４３ｂを弾性変形可能にする。弾性変形部４３ｂは、概略、湾曲頂点４３ｂ１を境に緩く「く」の字状に折り曲げられ、湾曲部４２ｂの前方に延在する。弾性変形部４３ｂの前端であって上端には、ロック爪４９ｂが固定部４１ｂと反対側に向かって突出形成される。ロック爪４９ｂは、図６に示されるように、板状の弾性変形部４３ｂに対して直角をなすように形成される。
【００３１】
このように構成されているロック・スプリング４０ｂは、弾性変形部４３ｂの湾曲頂点４３ｂ１近傍、弾性変形部４３の前端部及びロック爪４９ｂを除いて、ロック・スプリング収容空間２３ｂ内に配置される。弾性変形部４３の湾曲頂点４３ｂ１近傍は、ロック・スプリング収容空間２３ｂ右方に連通する操作レバー収容空間２４ｂ内に配置される。また、弾性変形部４３の前端部は、ロック・スプリング収容空間２３ｂ前方に連通するガイドレバー１３ｂに形成されている空間１４ｂ内に配置される。さらに、ロック爪４９ｂは、空間１４からスリット１５ｂを通って右方外側に突出するように配置される。
【００３２】
左側の操作部分２２ａも、右側の操作部分２２ｂと同様の構成を備え、同様の作用効果を奏する。その場合、右側の操作部分２２ｂの説明において、引用数字に添付されるアルファベットｂをａに代えて読むことにより、上記右側の操作部分２２ｂに関する説明が、左側の操作部分２２ａに関する説明として読めることが理解されるであろう。
【００３３】
以上述べたような構造を有する雄コネクタとしてのアダプタ１を、プリント配線基板８０に実装されている雌コネクタとしてのレセプタクル６０に接続する動作について図１、図６及び図７を用いて説明する。
【００３４】
図１に示される状態にあるアダプタ１を、レセプタクル６０に接続するには、レセプタクル６０に挿入するだけでよい。すなわち、アダプタ１の結合部分１０を対応するアダプタ受け部（図７に、結合部分１０のガイドピン１３ｂを受け入れるガイド収容空間６１ｂのみが示されている。）に挿入する。この場合、一対のガイドピン１３ａ、１３ｂを対応するガイド収容空間に嵌合させることで、結合部分１０のコンタクト部１１に形成されるパッド１２がレセプタクル６０に設けられている対応するコンタクト（不図示）に電気的に接続される。また、ガイドピン１３ａ、１３ｂが対応するガイド収容空間に完全に嵌合すると、一対のロック・スプリング４０ａ、４０ｂにそれぞれ設けられている一対のロック爪４９ａ、４９ｂがガイド収容空間６１を画定する外壁に設けられた係合孔に係合する。
【００３５】
具体的に右側のガイドピン１３ｂで説明すれば、図７に示されるように、アダプタ１の結合部分１０のガイドピン１３ｂがレセプタクル６０のガイド収容空間６１内に挿入される。同時に、左側のガイドピン１３ａも対応するガイド収容空間６１に挿入され、それにより、対をなすガイドピン１３ａ、１３ｂ間に設けられているコンタクト部１１が対応するレセプタクル６０のコンタクトに対して位置決めされる。また、ガイドピン１３ｂからスリット１５ｂを介して右方外側に突出しているロック・スプリング４０ｂのロック爪４９ｂは、ガイド収容空間６１ｂを画定する外壁６２により空間１４ｂ内に引き込む。
【００３６】
アダプタ１の前壁２８の前面である当接面２８Ａにレセプタクル６０側の当接面６４が当接するまで、アダプタ１をレセプタクル６０のアダプタ受け部に挿入する。この時、ロック爪４９ｂは、ガイド収容空間６１ｂを画定する外壁６２に設けられた係合孔６３に到達する。したがって、ガイドピン１３ｂの空間１４ｂ内に引き込んでいたロック爪４９ｂは、その弾性反発力により、係合孔６３内に突出する。左側のガイドピン１３ａにおいても同様に、ケロック爪４９ａが対応する係合孔に係合し、それにより、アダプタ１は、レセプタクル６０に完全にロックされる。このようにして、アダプタ１は、図６に示されるように、レセプタクル６０への嵌合を完了する。また、この時、アダプタ１の結合部分１０のコンタクト部１１に設けられた複数のパッド１２が、対応するレセプタクル６０に設けられた複数のコンタクトにそれぞれ電気的に接続されることはいうまでもない。
【００３７】
次に、図６に示される状態にあるアダプタ１をレセプタクル６０から取外す動作について説明する。アダプタ１の取外し動作においても、右側の操作部分２２ｂ及びガイドピン１３ｂの動作を中心に説明する。図６に示すように、一対の操作レバー３０ａ、３０ｂの駆動部３１ａ、３１ｂに対し、互いに向かい合う内向きの力Ｆを作用させる。内向きの力Ｆが作用すると、右側の操作部分２２ｂの操作レバー収容空間２４ｂ内に設けられている操作レバー３０ｂの押圧部３３ｂは、内側、すなわち、対応するロック・スプリング収容空間２３ｂに向かって撓む。そして、押圧部３３ｂは、ロック・スプリング４０ｂの弾性変形部４３ｂの湾曲頂点４３ｂ１に接触し、弾性変形部４３ｂを内側に向かって変位させる。ロック・スプリング４０ｂの弾性変形部４３ｂの内向きの変位により、ロック爪４９ｂは、対応するレセプタクル６０の係合孔６３ｂから抜け、ガイドピン１３ｂの空間１４ｂ内に引き込む。左側の操作部分２２ａ及びガイドピン１３ａにおいても、ロック爪４９ａが同様に動作する。この結果、アダプタ１のレセプタクル６０に対するロックが解除されたことになり、アダプタ１をレセプタクル６０から取外すことが可能となる。すなわち、アダプタ１を後方に引き出すことで、アダプタ１のレセプタクル６０からの取り外しが完了する。
【００３８】
（第２の実施態様）
図８には、本発明に係るケーブル・コネクタ用アダプタの第２の実施態様が示されている。図８に示されるアダプタ１０１は、フレキシブル・フラット・ケーブル（ＦＦＣ）、または、フレキシブル配線基板（ＦＰＣ）のような柔軟で扁平なケーブル（以下、「フレキシブル・ケーブル」ともいう。）用のアダプタである。
【００３９】
本実施態様におけるアダプタ１０１は、結合部分１１０の一対のガイドピン１１３ａ、１１３ｂ及び本体部分１２０の一対の操作部分１２２ａ、１２２ｂは、上記第１の実施態様と全く同じであり、説明は省略する。なお、本実施態様においては、特に説明がない限り、上記第１の実施態様における部品に付された引用数字に１００を加えた引用数字で同じ部品を表している。
【００４０】
本実施態様では、結合部分１１０のコンタクト部分１１１は、一対のガイドピン１１３ａ、１１３ｂを連結する平坦な板体であり、フレキシブル・ケーブル１５０の一端部が接着されている。したがって、パッド１１２は、フレキシブル・ケーブル１５０に形成されている。また、本体部分１２０の接続部分１２１も、一対の操作部分１２２ａ、１２２ｂを連結する平坦な板体であり、下面側をフレキシブル・ケーブル１５０が通り抜ける。該接続部分１２１の下面にフレキシブル・ケーブル１５０が接着されていてもよいし、接着されていなくてもよい。
【００４１】
以上の構成を備えるアダプタ１０１は、上記第１の実施態様と同じ操作部分１２２ａ、１２２ｂを備えているので、第１の実施態様と同様に、雌コネクタとしてのレセプタクル（図６参照）に対して容易に嵌合、取り外しすることができる。また、操作部分１２２ａ、１２２ｂの操作レバー１３０ａ、１３０ｂは、保護壁により保護されており、取り外しのために加えられる方向以外から外力が加えられても壊れ難い。
【図面の簡単な説明】
【００４２】
【図１】本発明の第１の実施態様に係るケーブル・コネクタ用アダプタの上面図である。
【図２】図１のケーブル・コネクタ用アダプタの正面図である。
【図３】図１のケーブル・コネクタ用アダプタの側面図である。
【図４】図２のＡ−Ａ線に沿う部分拡大断面図である。
【図５】図１のＢ−Ｂ線に沿う部分拡大断面図である。
【図６】ケーブル・コネクタ用アダプタがレセプタクルに嵌合した時の、図２のＣ−Ｃ線に沿う部分拡大断面図である。
【図７】図１のケーブル・コネクタ用アダプタがレセプタクルに嵌合している状態を示す斜視図である。
【図８】本発明の第２の実施態様に係るケーブル・コネクタ用アダプタの斜視図である。
【符号の説明】
【００４３】
１、１０１            ケーブル・コネクタ用アダプタ
１０、１１０          結合部分
１１、１１１          コンタクト部分
１３ａ、１１３ａ      （左側の）ガイドピン
１３ｂ、１１３ｂ      （右側の）ガイドピン
１４ｂ                （右側のガイドピン１３ｂ、１１３ｂに設けられた）空間
１５ｂ、１１５ｂ      （右側のガイドピン１３ｂ、１１３ｂに設けられた）スリット
２０、１２０          本体部分
２１、１２１          接続部分
２２ａ、１２２ａ      （左側の）操作部分
２２ｂ、１２２ｂ      （右側の）操作部分
２３ｂ                （右側の操作部分２２ｂに設けられた）ロック・スプリング収容空間
２４ｂ                （右側の操作部分２２ｂに設けられた）操作レバー収
容空間
２５ｂ                （右側の操作部分２２ｂの）側壁
２６ｂ                （右側の操作部分２２ｂの）下壁
２７ｂ                （右側の操作部分２２ｂの）上壁
３０ａ、１３０ａ      （左側の）操作レバー
３０ｂ、１３０ｂ      （右側の）操作レバー
３１ａ                （左側の操作レバーの）駆動部
３１ｂ、１３１ｂ      （右側の操作レバーの）駆動部
３３ａ                （左側の操作レバーの）押圧部
３３ｂ、１３３ｂ      （右側の操作レバーの）押圧部
４０ａ、４０ｂ        （一対の）ロック・スプリング
４９ａ、４９ｂ        （一対の）ロック爪
５０                  細線同軸ケーブル
６０                  レセプタクル
１５０                フレキシブル・ケーブル（柔軟で扁平なケーブル）
【図１】
0004648933.tif 000002
【図２】
0004648933.tif 000003
【図３】
0004648933.tif 000004
【図４】
0004648933.tif 000005
【図５】
0004648933.tif 000006
【図６】
0004648933.tif 000007
【図７】
0004648933.tif 000008
【図８】
0004648933.tif 000009